(57)【要約】【課題】  走行安定性を確保しつつ、軽量化できるとともに、製造工程を簡略化でき、コストを低減できるスポーツ用シューズのソール構造を提供する。【解決手段】  シューズの踵部分から前足部分にかけて延在するアウトソール３と、その内部に配置され、シューズの踵部分から中足部分にかけて延在するミッドソール４とを設ける。アウトソール３の踵部位に波形状部３ｄを形成し、波形状部３ｄに対応する波形状部をミッドソール４の踵部位に形成するとともに、複数のクリーツ５をアウトソール３の下面に適宜設ける。この場合には、アウトソール３に波形状部を形成したことにより、走行安定性を確保できる。しかも、この場合には、ソール構造がアウトソール３およびミッドソール４の２層構造により構成されるので、軽量化できるとともに、製造工程を簡略化でき、コストを低減できる。【選択図】    図１
2008000635.tif 000002
【特許請求の範囲】
【請求項１】
スポーツ用シューズのソール構造であって、
シューズの少なくとも踵部分に配置されるとともに、その下面の内側縁部または外側縁部の少なくともいずれか一方からソール幅方向中央に向かってソール幅方向に稜線が延びる波形状面が形成された踵部位を有するミッドソールと、
前記ミッドソールの下部に配置されるとともに、前記ミッドソール踵部位の前記波形状面に対応する波形状が形成された踵部位と、前記踵部位から延設された前足部位とを有し、前記ミッドソールよりも硬い素材から形成されたプレート状のアウトソールと、
を備えたスポーツ用シューズのソール構造。
【請求項２】
請求項１において、
前記ミッドソールがシューズの踵部分から前足部分にかけて延設されている、
ことを特徴とするスポーツ用シューズのソール構造。
【請求項３】
請求項１において、
前記アウトソール踵部位における前記波形状の稜線が、当該アウトソール踵部位の前記内側縁部および前記外側縁部間で幅方向全体にわたって延びている、
ことを特徴とするスポーツ用シューズのソール構造。
【請求項４】
請求項１において、
前記アウトソールの前足部位に波形状が形成されている、
ことを特徴とするスポーツ用シューズのソール構造。
【請求項５】
請求項１ないし４のいずれかにおいて、
前記アウトソールの下面に複数のクリーツが設けられている、
ことを特徴とするスポーツ用シューズのソール構造。
【請求項６】
請求項５において、
前記クリーツが、前記アウトソールの屈曲性を制御するように配置されている、
ことを特徴とするスポーツ用シューズのソール構造。
【請求項７】
請求項５において、
前記クリーツが、前記アウトソールに対する接地面からの突上げ力を制御するように配置されている、
ことを特徴とするスポーツ用シューズのソール構造。
【請求項８】
請求項６または７において、
前記クリーツが、前記アウトソールの波形状の山または谷の部分に形成されている、
ことを特徴とするスポーツ用シューズのソール構造。
【請求項９】
請求項６または７において、
前記クリーツが、前記アウトソールの波形状の山または谷を跨いで配置されている、
ことを特徴とするスポーツ用シューズのソール構造。
【請求項１０】
請求項１において、
前記ミッドソールの前記踵部位が波形シートを内蔵している、
ことを特徴とするスポーツ用シューズのソール構造。
【発明の詳細な説明】
【技術分野】
【０００１】
本発明は、スポーツ用シューズのソール構造に関し、詳細には、その構造の改良に関する。
【背景技術】
【０００２】
各種スポーツに使用されるスポーツ用シューズのソール構造として、ミッドソール内に波形シートを内蔵させたものが本件出願人により提案されている（特開平１１−２０３号公報参照）。当該公報に示すソール構造は、一般に軟質弾性部材からなる上部ミッドソールおよび下部ミッドソールから構成されたミッドソールと、これら上部ミッドソールおよび下部ミッドソール間に挿入された波形シートと、下部ミッドソールの下面に貼り合わされ、路面と直接接地するアウトソールとから構成されている。
【０００３】
この場合には、ミッドソールの踵部位が波形シートを内蔵していることにより、シューズの着地時に、ミッドソールの踵部位が左右方向に横ずれ変形するのを抑制する抵抗力が発生するようになっており、これにより、シューズの踵部分の横振れが防止され、走行安定性が確保されるようになっている。
【特許文献１】特開平１１−２０３号公報
【発明の開示】
【発明が解決しようとする課題】
【０００４】
しかしながら、前記従来構造は、上部ミッドソール、下部ミッドソール、波形シートおよびアウトソールからなる４層構造のため、一般に重量が重く、また組立工程がやや煩雑で、金型コストも余分にかかり、コスト高になるという欠点がある。
【０００５】
本発明は、このような従来の実情に鑑みてなされたもので、走行安定性を確保しつつ、軽量化できるとともに、製造工程を簡略化でき、コストを低減できるスポーツ用シューズのソール構造を提供することを目的とする。本発明の他の目的は、アウトソールの屈曲性を制御することにある。本発明のさらに他の目的は、アウトソールに対する接地面からの突上げ力を制御することにある。
【課題を解決するための手段】
【０００６】
請求項１の発明に係るスポーツ用シューズのソール構造は、ミッドソールと、ミッドソールの下部に配置され、ミッドソールよりも硬い素材から形成されたプレート状のアウトソールとを備えている。ミッドソールは、シューズの少なくとも踵部分に配置されており、その踵部位の下面の内側縁部または外側縁部の少なくともいずれか一方からソール幅方向中央に向かってソール幅方向に稜線が延びる波形状面が形成されている。アウトソールは、ミッドソールの踵部位の波形状面に対応する波形状が形成された踵部位と、これから延設された前足部位とを有している。なお、本明細書中で用いる「延設」とは、踵部位および前足部位が、同一素材のみならず、異なる素材から形成されているアウトソール部材を接着等して一体化する場合をも含む概念である。
【０００７】
請求項２の発明に係るスポーツ用シューズのソール構造は、請求項１において、ミッドソールがシューズの踵部分から前足部分にかけて延設されていることを特徴としている。
【０００８】
請求項３の発明に係るスポーツ用シューズのソール構造は、請求項１において、アウトソール踵部位の波形状の稜線が、アウトソール踵部位の内側縁部および外側縁部間で幅方向全体にわたって延びていることを特徴としている。
【０００９】
請求項４の発明に係るスポーツ用シューズのソール構造は、請求項１において、アウトソールの前足部位に波形状が形成されていることを特徴としている。
【００１０】
請求項５の発明に係るスポーツ用シューズのソール構造は、請求項１ないし４のいずれかにおいて、アウトソールの下面に複数のクリーツが設けられていることを特徴としている。
【００１１】
請求項６の発明に係るスポーツ用シューズのソール構造は、請求項５において、クリーツが、アウトソールの屈曲性を制御するように配置されていることを特徴としている。
【００１２】
請求項７の発明に係るスポーツ用シューズのソール構造は、請求項５において、クリーツが、アウトソールに対する接地面からの突上げ力を制御するように配置されていることを特徴としている。
【００１３】
請求項８の発明に係るスポーツ用シューズのソール構造は、請求項６または７において、クリーツが、アウトソールの波形状の山または谷の部分に形成されていることを特徴としている。なお、本明細書中では、図５の側面拡大図に示すように、接地面側を下側にしてアウトソールの波形状を側方から見たときに、接地面から離れる側に屈曲する屈曲部分を「山」と呼称し、これとは逆に接地面側に突出する屈曲部分を「谷」と呼称することにする。
【００１４】
請求項９の発明に係るスポーツ用シューズのソール構造は、請求項６または７において、クリーツが、アウトソールの波形状の山または谷を跨いで配置されていることを特徴としている。
【００１５】
請求項１０の発明に係るスポーツ用シューズのソール構造は、請求項１において、ミッドソールの踵部位が波形シートを内蔵していることを特徴としている。
【００１６】
請求項１の発明に係るソール構造によれば、アウトソール踵部位の内側部または外側部の少なくともいずれか一方に波形状が形成されており、ミッドソール踵部位の下面には、アウトソール踵部位の波形状に対応する波形状面が形成されている。これらアウトソールおよびミッドソールの合わせ面に形成された波形状面により、シューズの着地時に、ミッドソールの踵部位が左右方向に横ずれ変形するのを抑制する抵抗力が発生するようになっており、これにより、シューズの踵部分の横振れを防止でき、走行安定性を確保できる。
【００１７】
さらに、この場合には、ソール構造が、ミッドソールと、その下部に配置されたプレート状のアウトソールとから構成された２層構造になっている。これにより、部品点数を削減でき、軽量化が可能になるとともに、製造工程を簡略化でき、金型コストを低減してコストを削減できる。さらに、従来構造に比べて一般に薄くなることにより、屈曲性を向上できる。
【００１８】
ミッドソールは、請求項２の発明に記載されているように、シューズの踵部分から前足部分にかけて延設されていてもよい。この場合には、シューズの前後方向全体にわたってクッション性を確保できる。
【００１９】
アウトソール踵部位における波形状の稜線は、請求項３の発明に記載されているように、当該アウトソール踵部位の前記内側縁部および前記外側縁部間で幅方向全体にわたって延びていてもよい。この場合には、シューズの踵部分の横振れをより確実に防止できる。
【００２０】
また、請求項４の発明に記載されているように、アウトソールの前足部位にも波形状が形成されていてもよく、これにより、シューズの前足部分の横振れを防止できる。
【００２１】
さらに、請求項５の発明に記載されているように、アウトソールの下面に複数のクリーツ(cleats)が設けられていてもよい。このクリーツとは、靴底に付ける防滑用の突起であって、樹脂製および金属製の双方を含む。なお、本明細書中で使用する「クリーツ」は、スパイクを含む概念で用いられている。したがって、請求項５の発明に係るソール構造は、たとえばサッカーシューズ、野球のスパイクシューズ、ゴルフシューズ、陸上競技のトラック用シューズなどに適用されることになる。
【００２２】
クリーツは、請求項６の発明に記載されているように、アウトソールの屈曲性を制御するように配置されていてもよく、あるいは、請求項７の発明に記載されているように、アウトソールに対する接地面からの突上げ力を制御するように配置されていてもよい。
【００２３】
請求項８の発明に記載されているように、クリーツがアウトソールの波形状の山または谷の部分に形成されている場合には、アウトソールの屈曲性が阻害されるのを防止できる。とくに、アウトソールの波形状の谷の部分にクリーツが形成されている場合には、アウトソールに対する接地面からの突上げ力を、当該谷の両隣に配置された山の側に分散させることによって緩和できる。
【００２４】
請求項９の発明に記載されているように、クリーツがアウトソールの波形状の山または谷を跨いで配置されている場合、すなわち、隣り合う山と山または谷と谷を跨いで配置されている場合には、アウトソールに対する接地面からの突上げ力を、アウトソールの波形状によって効果的に緩和できるとともに、アウトソールの屈曲性を抑制できる。たとえば、クリーツがアウトソールの波形状の谷と谷を跨いで配置されている場合、接地面からの突上げ力を双方の谷の部分で分散吸収できる。
【００２５】
またミッドソールの踵部位は、請求項１０の発明に記載されているように、波形シートを内蔵していてもよい。この場合には、シューズの踵部分の横振れをさらに確実に防止できる。
【発明の効果】
【００２６】
以上のように、本発明に係るスポーツ用シューズのソール構造によれば、ミッドソールおよびその下部のプレート状アウトソールからなる２層構造のソール構造を採用するとともに、アウトソール踵部位に波形状面を形成するようにしたので、走行安定性を確保しつつ、軽量化できるとともに、製造工程を簡略化でき、コストを低減できる効果がある。
【発明を実施するための最良の形態】
【００２７】
以下、本発明の実施態様を添付図面に基づいて説明する。
〔サッカーシューズへの適用例〕
図１は本発明の一実施態様によるソール構造が採用されたサッカーシューズの側面図、図２の（ａ）は当該ソール構造の底面図、（ｂ）はその内甲側（すなわち内側）側面図、（ｃ）は外甲側（すなわち外側）側面図である。
【００２８】
図１に示すように、サッカーシューズ１の靴底は、甲被部２の下部に設けられるとともに、シューズ踵部分から前足部分にかけて延設され、路面と直接接地する概略プレート状のアウトソール３と、アウトソール３の内部に配置されるとともに、シューズ踵部分から中足部分にかけて延設されたミッドソール４とから主として構成されている。アウトソール３の下面には、複数のクリーツ５が設けられている。
【００２９】
アウトソール３は、図２の（ｂ）および（ｃ）に示すように、その内外甲側においてベース面３ａから上方（図左右方向）に立ち上がる側壁部３ｂ，３ｃを有している。ベース面３ａの踵部位には、その内外甲側に波形状部３ｄが形成されている。同図（ａ）中の破線Ｌは、この波形状部３ｄの山および谷の線を示している。
【００３０】
ミッドソール４は、アウトソール３のベース面３ａ上に配置される。ミッドソール４の踵部位の内外甲側には、アウトソール３の波形状部３ｄに対応する波形状部が形成されている（図１参照）。
【００３１】
ミッドソール４は、一般に、良好なクッション性を備えた軟質弾性部材から構成されるが、具体的には、エチレン−酢酸ビニル共重合体（ＥＶＡ）等の熱可塑性合成樹脂の発泡体やポリウレタン（ＰＵ）等の熱硬化性樹脂の発泡体、またはブタジエンラバーやクロロプレンラバー等のラバー素材の発泡体が用いられる。
【００３２】
この場合には、アウトソール３の踵部位の内外甲部に波形状部３ｄが形成され、この波形状部３ｄに対応する波形状部がミッドソール４の踵部位の下面に形成されているので、これらアウトソール３およびミッドソール４の合わせ面に形成された波形状面により、シューズの着地時に、ミッドソール４の踵部位が左右方向に横ずれ変形するのを抑制する抵抗力が発生するようになっている。これにより、シューズの踵部分の横振れを防止でき、走行安定性を確保できる。
【００３３】
さらに、この場合には、アウトソール３およびミッドソール４の２層からソール構造が構成されるので、部品点数を削減でき、軽量化が可能になるとともに、製造工程を簡略化でき、コストを削減できる。さらに、ソール構造が薄くなることによってその屈曲性を向上できる。
【００３４】
なお、ミッドソール４は、シューズ踵部分から前足部分にかけて延設されていてもよい。この場合には、シューズの前後方向全体にわたってクッション性を確保できる。
【００３５】
また、アウトソール３の踵部位の波形状は、踵部位の内外甲間で概略幅方向全体にわたって連続して形成されていてもよい。この場合には、シューズの踵部分の横振れをより確実に防止できる。
【００３６】
さらに、アウトソール３の前足部位に波形状部が形成されていてもよく、この場合には、シューズの前足部分の横振れをも防止できる。
【００３７】
また本実施態様においては、シューズ踵部分に設けられたクリーツ５が、アウトソール３の波形状部３ｄにおける波形状の谷と谷を跨いで配置されており（図２（ｂ），（ｃ）参照）、これにより、アウトソール３に対する接地面からの突上げ力を、アウトソール３の波形状の隣り合う双方の谷の部分で吸収することによって効果的に緩和できる。
【００３８】
〔野球用スパイクシューズへの適用例〕
図３は本発明の一実施態様によるソール構造が採用された野球用スパイクシューズの側面図、図４の（ａ）は当該ソール構造の底面図、（ｂ）はその内甲側側面図、（ｃ）は外甲側側面図である。
【００３９】
図３に示すように、野球用スパイクシューズ１０の靴底は、甲被部１２の下部に設けられるとともに、シューズ踵部分から前足部分にかけて延設されたミッドソール１４と、ミッドソール１４の下部に配置され、路面と直接接地する概略プレート状のアウトソール１３とから主として構成されている。アウトソール１３の下面には、複数のクリーツ１５が設けられている。
【００４０】
ミッドソール１４は、甲被部１２の下面に接着された上部ミッドソール１４ａと、その下面に接着された下部ミッドソール１４ｂとから構成されている。上部ミッドソール１４ａおよび下部ミッドソール１４ｂ間においてシューズ踵部分には、波形シート１６が挿入されている。上部ミッドソール１４ａには、幅方向に延びる貫通孔１７が形成されている。
【００４１】
ミッドソール１４は、前記実施態様のサッカーシューズの場合と同様に、熱可塑性または熱硬化性樹脂の発泡体やラバー素材の発泡体からなるクッション性の良好な軟質弾性部材から構成されている。
【００４２】
アウトソール１３の踵部位には、図４の（ｂ）および（ｃ）に示すように、その内外甲側に波形状部１３ｄが形成されている。同図（ａ）中の破線Ｌは、この波形状部１３ｄの山および谷の線を示している。下部ミッドソール１４ｂの踵部位の内外甲側には、アウトソール１３の波形状部１３ｄに対応する波形状部が形成されている。
【００４３】
同様に、アウトソール１３の前足部位には、図４の（ｂ）および（ｃ）に示すように、その内外甲側に波形状部１３ｅが形成されており、上部ミッドソール１４ａの前足部位の内外甲側には、アウトソール１３の波形状部１３ｅに対応する波形状部が形成されている。
【００４４】
この場合には、アウトソール１３の踵部位の内外甲部に波形状部１３ｄが形成され、この波形状部１３ｄに対応する波形状部が下部ミッドソール１４ｂの踵部位の下面に形成されているので、アウトソール１３および下部ミッドソール１４ｂの合わせ面に形成された波形状面により、シューズの着地時に、ミッドソール１４の踵部位が左右方向に横ずれ変形するのを抑制する抵抗力が発生するようになっている。これにより、シューズの踵部分の横振れを防止でき、走行安定性を確保できる。また、この実施態様では、上下部ミッドソール１４ａ，１４ｂ間に波形シート１６が挿入されているので、シューズの踵部分の横振れをより確実に防止できる。なお、波形シート１６はアウトソール１３の踵部位の外周形状よりも小さな形状を有していてもよく、この場合には、波形シートがシューズ踵部分の内外側面に表れずに、シューズ踵部分の内部に配置されることになる。
【００４５】
さらに、この場合には、シューズ前足部分が、アウトソール１３および上部ミッドソール１４ａからなる２層構造のソール構造により構成されるので、部品点数を削減でき、軽量化が可能になるとともに、製造工程を簡略化でき、コストを削減できる。さらに、ソール構造が薄くなることによって、シューズ前足部分の屈曲性を向上できる。
【００４６】
また、この場合には、アウトソール１３の前足部位に波形状部１３ｅが形成され、この波形状部１３ｅに対応する波形状部が上部ミッドソール１４ａの前足部位の下面に形成されているので、アウトソール１３および上部ミッドソール１４ａの合わせ面に形成された波形状面により、シューズの着地時に、ミッドソール１４の前足部位が左右方向に横ずれ変形するのを抑制でき、シューズの前足部分の横振れを防止できる。
【００４７】
なお、アウトソール１３の各波形状部１３ｄ，１３ｅは、踵部位および前足部位の内外甲間で概略幅方向全体にわたって連続して形成されていてもよく、この場合には、シューズの踵部分および前足部分の横振れを一層確実に防止できる。
【００４８】
また本実施態様においては、シューズ踵部分に設けられたクリーツ１５が、アウトソール１３の波形状部１３ｄにおける波形状の谷の部分に配置されており（図４（ｂ），（ｃ）参照）、これにより、アウトソール１３に対する接地面からの突上げ力を緩和できる。同様に、シューズ前足部分のとくに内甲側に設けられたクリーツ１５が、アウトソール１３の波形状部１３ｅにおける波形状の谷の部分に配置されていることにより、アウトソールの屈曲性を維持でき、アウトソール１３に対する接地面からの突上げ力を緩和できる。
【図面の簡単な説明】
【００４９】
【図１】本発明の一実施態様によるソール構造が採用されたサッカーシューズの側面図である。
【図２】（ａ）はソール構造（図１）の底面図、（ｂ）はその内甲側側面図、（ｃ）は外甲側側面図である。
【図３】本発明の一実施態様によるソール構造が採用された野球用スパイクシューズの側面図である。
【図４】（ａ）はソール構造（図３）の底面図、（ｂ）はその内甲側側面図、（ｃ）は外甲側側面図である。
【図５】アウトソールの波形状部分を示す側面拡大図である。
【符号の説明】
【００５０】
１：    サッカーシューズ
３：    アウトソール
３ｄ：  波形状部
４：    ミッドソール
５：    クリーツ
１０：    野球用スパイクシューズ
１３：    アウトソール
１３ｄ：  波形状部
１４：    ミッドソール
１４ａ：  上部ミッドソール
１４ｂ：  下部ミッドソール
１５：    クリーツ
１６：    波形シート
【図１】
2008000635.tif 000003
【図２】
2008000635.tif 000004
【図３】
2008000635.tif 000005
【図４】
2008000635.tif 000006
【図５】
2008000635.tif 000007